(57)【要約】【課題】天井のフックで蚊帳を支持せず、吊り下げ専用のスタンドを提供せんとするものであり、又他の目的はスタンドを構成する各部材を分離・組み立て可能とし、保管を容易にせんとするものであり、更に他の目的は吊り下げに重要な場所である蚊帳の天面の改良を為さんとする。【解決手段】支持脚２、支柱３及び蚊帳支承腕４より成り、平面Ｔ字状に形成した支持脚２の交叉部に支柱３が上下伸縮可能に立設し、支柱３に先方が上向に傾斜して屈曲し、先端部に吊り紐結着用環１８を有する蚊帳支承腕４を水平方向に回動可能に設けたことを特徴とする。【選択図】図１
2004230100.tif 000002
【特許請求の範囲】
【請求項１】
支持脚、支柱及び蚊帳支承腕より成り、平面Ｔ字状に形成した支持脚の交叉部に支柱が上下伸縮可能に立設し、支柱に先方が上向に傾斜して屈曲し、先端部に吊り紐結着用環を有する蚊帳支承腕を水平方向に回動可能に設けたことを特徴とするベッド用蚊帳のスタンド。
【請求項２】
支持脚を二枚の板状体で形成し、Ｔ字状の交叉部を重合すると共に、支柱の底部を重ね、着脱可能にボルト締めして連結して成る請求項１記載のベッド用蚊帳のスタンド。
【請求項３】
基部材、中間部材及び先部材の独立部材で支柱を構成し、基部材と中間部材は着脱可能に嵌合し、中間部材を外筒として先部材が出入可能に嵌挿されると共に、任意の突出長で係止固定される請求項１又は２記載のベッド用蚊帳のスタンド。
【請求項４】
蚊帳支承腕が支柱に着脱可能に嵌合すると共に、屈曲部に補強リブを設けた請求項１乃至３記載のベッド用蚊帳のスタンド。
【請求項５】
可撓性の線体の一端に、他端部を嵌挿するジョイント用鞘部材を装着した天面用リング整形体と、形成する天面の中央に二条の吊り紐を取り着けた蚊帳、及び請求項１、２、３又は４記載のスタンドより成るベッド用蚊帳装置。
【発明の詳細な説明】
【０００１】
【発明の属する技術分野】
本発明は、ベッド用蚊帳を吊り下げて支持するスタンドに関するものであり、又他の発明は、当該スタンドに吊設する蚊帳との組み合わせに関するものである。
【０００２】
【従来の技術】
従来のベッド用蚊帳は、例えば特開平０７ー０７９８４３のように、床より高く成ったベッドの側枠等を利用し、蚊帳の天面に円形面を形成して周囲に開いた側周面の下部縁がベッドに張り付くようにしたものである。
【０００３】
そして、上記公開公報においては、天面に取り着けた紐体を寝室の天井に直接取り付けたフックに結着し、吊り下げて使用するものである。
【０００４】
【発明が解決しようとする課題】
従来のベッド蚊帳では、吊り下げるためのフック等を直接部屋の天井に取り着けるため、天井に疵が付き、又体裁も良いものとは言えない。
更に、フック（蚊帳を含め）を確実に支持する横材が必要であり、容易にフックを取り着けられない家屋の構造も最近は珍しくなく、フックの取り着け自体が困難な場合もある。
【０００５】
そこで、本発明は天井のフックで蚊帳を支持せず、吊り下げ専用のスタンドを提供せんとするものであり、又他の目的はスタンドを構成する各部材を分離・組み立て可能とし、保管を容易にせんとするものであり、更に他の目的は吊り下げに重要な場所である蚊帳の天面の改良を為さんとするものである。
【０００６】
【課題を解決するための手段】
請求項１のベッド蚊帳のスタンドは、支持脚、支柱及び蚊帳支承腕より成り、平面Ｔ字状に形成した支持脚の交叉部に支柱が上下伸縮可能に立設し、支柱に先方が上向に傾斜して屈曲し、先端部に吊り紐結着用環を有する蚊帳支承腕を水平方向に回動可能に設けたことを特徴とするものである。
【０００７】
本発明は、蚊帳支承腕の吊り紐結着用環に蚊帳の吊り紐を結着すれば、蚊帳をベッド上に支承し、ベッドの上方及び周囲を被覆でき、従来のように部屋の天井へフックを設ける必要がない。
【０００８】
支持脚は平面Ｔ字状に形成され、Ｔ字状の交叉部に支柱を立設し、蚊帳支承腕が上方へ傾斜して屈曲しているため、支持脚に安定性があり、蚊帳支承腕の強度も増し、ベッドの中央部で蚊帳を吊り下げることができ、又支持脚の中央縦線部をベッド下へ配置させれば、支持脚の床の空きスペースで存在も最少限とできる。そして、支柱は伸長して蚊帳を吊設する高さの調節も自在となる。
【０００９】
請求項２の発明は、支持脚を二枚の板状体で形成し、Ｔ字状の交叉部を重合すると共に、支柱の底部を重ね、着脱可能にボルト締めして連結したものであり、支持脚を二枚の板状体で分離可能に組み立てれると共に、支持脚を板状体で構成することで支持力及び安定性が増大するものである。
又、支柱とも関連して組み立て、取り外し可能となり、各部材が板状又は棒状と成って、運搬、保管が容易となるものである。
【００１０】
請求項３の発明は、基部材、中間部材及び先部材の独立部材で支柱を構成し、基部材と中間部材は着脱可能に嵌合し、中間部材を外筒として先部材が出入可能に嵌挿されると共に、任意の突出長で係止固定されるものである。
支柱を三分割して構成することで、各部材の長さが１ｍ以下におさえられ、取り扱いが容易となると共に、運送条件に適合した大きさにまとめられるものとなる。
【００１１】
請求項４の発明は、蚊帳支承腕が支柱に着脱可能に嵌合すると共に、屈曲部に補強リブを設けたもので、蚊帳支承腕が支柱より分離、組み立て自在となり、運搬、管理が至便となると共に、屈曲部の強度を増大させるリブを設けたものである。
【００１２】
請求項５の発明は、可撓性の線体の一端に、他端部を嵌挿するジョイント用鞘部材を装着した天面用リング整形体と、形成する天面の中央に二条の吊り紐を取り着けた蚊帳とし、スタンドと組み合わせたものである。
【００１３】
蚊帳の天面を形成するための天面用リングがリング状と一直線状に組み立てと解除できるため、運搬・保管時には直線状にして置けば至便であり、蚊帳の吊り紐を直接天面の中心部に取り付けたため、支持力と安定性が増大するものとなる。
【００１４】
【発明の実施の形態】
本発明の実施の一形態を図面に基づいて説明する。
図１は本発明の実施の一形態を示すスタンドの斜視図であり、スタンド１は支持脚２、支柱３、蚊帳支承腕４より構成している。
【００１５】
支持脚２は長手方向両側に段部を設けて折曲し、中央部を高くした板状体５、６を二枚用いて、Ｔ字状に組み合わすべく、横位置と成る板状体５の中央部一側に切り欠き７を設け、他方の板状体６の一端を切り欠き７より挿通して重合部をボルト８にて緊締し、一体化するものと成っている。
【００１６】
そして、このボルト８は横位置の板状体５を突き抜け、支柱３の底部９の雌ネジを切った凹穴１０に螺合し、支持脚２を構成すると共に支柱３を支持脚２の中央部と成るＴ字状の交叉部に立設するものである。
【００１７】
支柱３は三つの棒体で構成し、前記支持脚２にボルト８で立設固定される基部材１１、基部材１１の上端部嵌合孔１２に下端部が嵌入する中間部材１３、中間部材１３に緩挿して出入自在に露出部が長短して、支柱３全体の長さを伸縮させる先部材１４より成り、又中間部材１３と先部材１４との固定は、中間部材１３の先端部に装着した挾圧環１５を長さ方向へ移動させて行う公知の手段を用いている。
【００１８】
蚊帳支承腕４は鈍角に折曲したソケット管１６の一端口に腕部材１７を挿着固定し、腕部材１７の先端には吊り紐結着用環１８を穿設し、更にソケット管１６の鈍角部の内側に補強リブ１９が当着されている。
【００１９】
したがって、ソケット管１６の他端口２０内に支柱３の上端に挿入して首振り可能に冠設すれば、腕部材１７が上方斜め方向に伸びると共に、吊り紐結着用環１８の位置を支柱を中心にした腕部材１７を半径とする円周上の任意に設定できるものとなる。
【００２０】
一方、蚊帳２１の周側の開きを良くするため、天面２８を円形に形成するのにリング形状の整形体を用いている。
本発明の天面用リング整形体２２では、可撓性を有する樹脂製の線体２３の一端にジョイント用鞘部材２４を嵌着し、他端側の嵌合孔２５に、他端側を折曲して円形に形成して、他端部２６を挿通することで使用時にはリング形状と成り、不使用時には直線状の線体と成って運搬及び保管に至便となる。
【００２１】
又、本天面用リング整形体２２は可撓性で反発力が強いため、形成したリング状で充分な強度を有し、従来のようにリング状を維持するため直径方向に渡設する数本の補強桟を要しないから、蚊帳の天面中央部が解放され、吊り紐２７、２７を縫着することができるものである。
尚、図中２９はリング整形体２２の挾持用閉じ紐である。
【００２２】
スタンドを構成する各部材は、蚊帳を支承するのに充分な強度と安定性を必要とするため、材質は金属製で重量のあるものが好ましい。
支柱の高さは、最長時に２ｍ程度と成る長さが必要であり、蚊帳支承腕は支柱がベッド脇に立設される関係から、ベッドの中央付近まで延びる長さ（Ｗベッドでは９０ｃｍ程度）が適当であり、蚊帳支承腕に応じて支持脚の重合部から各先端部までの長さも同等程度が好ましい。
【００２３】
【発明の効果】
以上のように、本発明はベッド用蚊帳を吊設のための新規のスタンドを提案したもので、部屋を疵つけることがなく、又特別のフックを取り付けることもなく、ベッド用蚊帳の使用を確保できるものである。
【００２４】
又、スタンドの使用は一時期の間であることに鑑み、運搬・保管・収納に至便なように、総ての構成部材を直線の板状又は棒状に分解でき、組み立ても簡易に行えるものである。
【図面の簡単な説明】
【図１】本発明の使用の状態を示す斜視図である。
【図２】支持脚の一実施の形態を示す分解斜視図である。
【図３】一実施の形態を示す支持脚と支柱の連結を示す断面図である。
【図４】支柱の一実施の形態を示す部分断面図である。
【図５】支柱の一実施の形態を示す部分断面図である。
【図６】支柱と蚊帳支承腕の関係を示す本発明の一実施の形態を示す断面図である。
【図７】本発明の一実施の形態を示す天面用リング整形体の平面図である。
【図８】本発明の蚊帳天面部の使用状態図である。
【図９】図８の縦断正面図である。
【符号の説明】
１  スタンド
２  支持脚
３  支柱
４  蚊帳支承腕
５、６  板状体
７  切り欠き
８  ボルト
９  底部
１０  凹穴
１１  基部材
１３  中間部材
１４  先部材
１５  挾圧環
１６  ソケット管
１７  腕部材
１８  吊り紐結着用環
１９  補強リブ
２２  天面用リング整形体
２４  鞘部材
２７  吊り紐
【図１】
2004230100.tif 000003
【図２】
2004230100.tif 000004
【図３】
2004230100.tif 000005
【図４】
2004230100.tif 000006
【図５】
2004230100.tif 000007
【図６】
2004230100.tif 000008
【図７】
2004230100.tif 000009
【図８】
2004230100.tif 000010
【図９】
2004230100.tif 000011